【事件の表示】
　特許第２６８０３０３号「カラーインクジェットヘッド」の特許に対する特許異議の申立てについて、次のとおり決定する。
【結論】
　訂正を認める。
　特許第２６８０３０３号の特許を維持する。
【理由】
Ｉ．手続の経緯
　本件特許第２６８０３０３号の発明は、昭和６２年２月２６日に出願され、平成９年８月１日にその特許権の設定の登録がなされ、キャノン株式会社より特許異議の申し立てがなされ、取消理由通知がなされ、その指定期間内である平成１０年１１月１９日に訂正請求がなされ、その後に訂正拒絶理由通知がなされ、該訂正拒絶理由に対してその指定期間内の平成１１年７月１３日に手続補正書が提出されたものである。
ＩＩ．訂正の適否
（１）訂正請求に対する補正の適否について
　請求人は、当審で通知した訂正拒絶理由に記載した訂正明細書の特許請求の範囲および発明の詳細な説明の各記載の対応関係が明りょうでない点で明細書に不備がある旨の指摘に応答して、訂正請求書の訂正事項を補正をした。
　そして、本補正は、補正前の訂正明細書の特許請求の範囲のカラーインクジェットヘッドが荷電量制御型であることを発明の詳細な説明の記載と対応するように明りょうにしたものであり、且つこれに伴い、訂正明細書の特許請求の範囲の記載と発明の詳細な説明の記載との整合を図るため、発明の詳細な説明の記載を補正したもので、訂正請求書の要旨を変更するものでなく、特許法１２０条の４第３項において準用する同法第１３１条第２項の規定に適合する。
（２）訂正明細書の請求項１に係る発明
　訂正明細書の請求項１に係る発明（以下、「本件発明」という。）は、補正された訂正明細書及び設定登録時の図面の記載からみて、その特許請求の範囲の請求項１に記載された次の事項により特定されるとおりのものである。
「複数色のインクを噴射するための複数個のインク液室と、それに対応して設けられたノズルとを、有する荷電量制御型カラーインクジェットヘッドであって、該カラーインクジェットヘッドは、インク噴射作用ユニットとインク吐出ユニットよりなり、該インク吐出ユニットは、複数色のインクの粘性係数の不一致を補償するようにノズル形状を変え、共通の１枚のプレートに形成されているマルチノズルプレートであることを特徴とするカラーインクジェットヘッド。」
（３）訂正の目的、新規事項の有無および拡張・変更の存否
　特許権者の求めている訂正の内容は、請求項１「複数色のインクを噴射するための複数個のインク液室と、それに対応して設けられたノズルとを、有するカラーインクジェットヘッドであって、該カラーインクジェットヘッドは、インク噴射作用ユニットとインク吐出ユニットよりなり、該インク吐出ユニットは、複数色のインクの粘性係数の不一致を補償するようにノズル形状を変え、共通の１枚のプレートに形成されているマルチノズルプレートであることを特徴とするカラーインクジェットヘッド。」を、上記（２）のように訂正するものである。
　上記訂正は、請求項１に記載のカラーインクジェットヘッドが荷電量制御型であるとしたものであり、これについて、願書に添付した明細書の発明の詳細な説明には「荷電量制御型マルチノズルカーインクジェット記録装置におけるカラーインクジェットヘッド」と記載されている。
　そうすると、上記訂正は、特許請求の範囲の減縮に該当し、新規事項の追加に該当せず、実質的に特許請求の範囲を拡張又は変更するものでない。
（４）独立特許要件の判断
　本件発明は、後述するように、特許出願の際独立して特許を受けることができるものである。
（５）むすび
　以上のとおりであるから、上記訂正請求は、特許法１２０条の４第２項及び同条第３項で準用する第１２６条第２乃至４項の規定に適合するので当該訂正を認める。
ＩＩＩ．特許異議申し立てについて
（１）申立の理由の概要
　異議申立人キャノン株式会社は、甲第１乃至７号証を提出して、本件発明は、甲第１乃至３号証に記載されたものから当業者が容易に発明をすることができた旨の主張（主張Ａ）、同じく、本件発明は、甲第４乃至７号証に記載されたものから当業者が容易に発明をすることができた旨の主張（主張Ｂ）、明細書における「複数色のインクの粘性係数の不一致を補償するようにノズルの形状を変える」という記載では、当業者が容易にその実施をすることができる程度に明りょうでない旨の主張（主張Ｃ）および特許請求の範囲と発明の詳細な説明の各記載相互の対応関係が明りょうでない旨の主張（主張Ｄ）を行っている。
　なお、当審が通知した取消理由は上記主張Ｃ、Ｄに基づくものである。
（２）判断
　▲１▼主張Ａ乃至Ｂについて
　ａ．甲各号証の記載事項
　甲第１号証（特開昭６１−２５５８６１号公報）には、「第１図は、本発明によるマルチノズル力ラーインクジェットヘッドの一実施例を説明するための斜視図で、図中、３１はヘッド、３２は荷電電極、３３Ｙ，３３Ｍ，３３Ｃ，３３Ｂはインク供給チューブである。第２図は、第１図から荷電電極を取り外した時の正面図で、図中、３４はオリフィスプレートである。第１図及び第２図から明らかなように、本発明によるマルチノズル力ラーインクジェットヘッドにおいては、１つのヘッド３１から、Ｙ，Ｍ，Ｃ，Ｂのインクジェット流を１群とするＩ〜ＶＩＩＩの８群のインクジェット流を噴射するが、そのためには当然のことながら、ヘッド３１内にはＹ，Ｍ，Ｃ，Ｂの４色のインク液室があり、Ｙ，Ｍ，Ｃ，Ｂのインクジェット流群ごとに電荷電極板３２…を通過するが、…通過する時に周知のように印字情報信号に応じて荷電される。」（第２頁右上欄第９行〜同頁左下欄第７行）と記載され、第２図に１枚のオリフィスプレートが記載されている。
　甲第２号証（実願昭５８−１８３３２４号（実開昭６０−８８７４６号）のマイクロフィルム）には、「ノズルからインク粒子を噴射し印字信号が印加される帯電電極にて選択的に印字信号に応じて帯電させ偏向電極にて偏向して印字用紙に印字するインクジェットプリンタであって、ノズルを温度依存性を有する形状記憶材料で作り、インクまたは外気の温度に応じて前記ノズルのノズル孔径又はストレート部の長さを変化させるようにした」（第１頁第５〜１２行）、「外気温が低くなるとインクの湿性も下りインクの粘度はインク温度が下ると共に上昇する。このため直径が数十ミクロンからなるノズル孔での粘性損失はインクの粘度に比例して増大しインク噴射量が減少する。」（第２頁第２〜６行）および、「第２図のようにインク１の温度が下るとインク１の粘度が上昇するのでこれに見合った分だけノズル孔３の径またはノズル２のストレート部４の長さを第３図、第４図のように変化させ」（第３頁第１８行〜第４頁第１行）と記載され、第３乃至４図にはインク温度対ノズル孔径の特性図、インク温度対ストレート部の長さの特性図が記載されている。
　甲第３号証（特開昭６０−７８７５６号公報）には、「本発明は、…各ノズルからのインクジェットの速度を均一にし、均一なインク柱切断距離、均一なインク滴間隔が得られ、高画質の印写を行なうことができるインクジェット記録装置のマルチノズルプレートを提供することを目的とする。」（第１頁右下欄第２０行〜第２頁左上欄第５行）、「本発明は、液室内の圧力波の振幅にばらつきがある場合に、そのばらつきに応じてインクジェットの初速度を変えることにより、その補償を行ない、均一なインク柱切断距離、インク滴間隔を得るものである。一般に、流体の速度と圧力の関係は次式で表される。
Ｐ＝１／２ρ（１＋α）Ｖｊφ２＋１／ｄ２｛３２μ（ｌｓ＋β１）＋β２｝Ｖｊφ＋γ×ρｄ／μ×Ｖｊφ……（１）
　ここで、Ｐは圧力、ρは密度、Ｖｊφは初速度、ｄはノズル径、μは粘性係数、ｌＳはノズルストレート部長さ、α，β１，β２，γは補正項である。（１）式より、初速度Ｖｊφのを変えるためにはノズル径ｄ、ノズルストレート部長さｌＳを変えればよいことがわかる。」（第２頁左上欄第９行〜右上欄第４行）と記載されている。
　甲第４号証（特開昭５５−９０３７６号公報）には、「第３図（ａ）は本発明の１つの実施態様を表わす斜視図である。即ちカラー画像を得るための装置には、発熱抵抗体を有する発熱体基板１２、液体供給溝が形成されている溝つきプレート１３、多色記録用の液体Ａ、Ｂ、Ｃを供給する為のブロック１４Ａ、１４Ｂ、１４Ｃ及び供給管１５Ａ、１５Ｂ、１５Ｃ、或いは画像信号印加用のプリント基板１６等が設置され、ヘッドが構成される。尚、…所望の吐出オリフイス１８を形成する為に吐出オリフイス板１９が貼付されることもある。」（第４頁右下欄第１〜１２行）、「吐出特性を更に良好にしたい場合或いは吐出液滴形状寸法を所望のものにしたい場合等では、オリフイス先端部に新たに所望の形状寸法の吐出オリフイス板をつけてもよい。」（第８頁左上欄第１２〜１６行）と記載され、第３（ａ）図にマルチノズルプレートが記載されている。
　甲第５号証（米国特許第４，３８０，７７１号明細書）には、「ｋ＝Ｌｏｈ／Ｌｈｃ＝Ｖｐ／Ｌｄ２　したがって、Ｖｐはインクの形式によって定まる（最適値の）定数であり、Ｖｐ、Ｌおよびｄが記録ヘッドの設計の際に定まるとｋは定まる。ｋの数値で液室内に設けたヒーターの最適位置が定まる。換言すれば、Ｌとｄが記録ヘッドの設計時の稼働条件に基づいて定まるから、ｋはインクの形式を決定するための定数と見なせる。」（第１２欄６３行〜第１３欄第７行）及び「５．インクジェット記録ヘッドであって、それぞれのカラーインクのための複数のオリフィスと、液室がそれぞれ同一のカラーインクについて前記オリフィスと共通する共通液室と、前記共通液室がそれぞれ飛翔インク小滴を形成するための手段を有する複数のオリフィスに対応し、異なるカラーインクに関して該液室の長さを異にする、前記オリフィスと連係する細長い複数の液室とを含む前記インクジェット記録ヘッドにおいて、飛翔インク小滴を形成するための手段を介するオリフィスからの液室内の流線長であるＬｏｈｎと共通インク室を介する飛翔インク小滴を形成するための手段からの液室内の流線長であるＬｈｃｎとの間で（ｋを使用インクの形式で明確に決定される定数として）つぎの関係式：Ｌｏｈｎ／Ｌｈｃｎ＝ｋが成り立つことを特徴とする前記インクジェット記録ヘッド。」（第１５欄第２５行〜第１６欄第１２行）と記載され、図７にインクジェット記録装置の模式的組立図が記載されている。
　甲第６号証（特開昭６０−１４９４７０号公報）には、「異なったオリフィス径を有する複数のオリフィスと、このオリフィスにそれぞれ連通する液流路と、前記オリフィス上り液滴を吐出するために用いられるエネルギーを発生するためのエネルギー発生体とを有する記録ヘッドを用いた液体噴射記録方法において、前記オリフィス径に応じて物性の異なった液体を前記液流路内に供給することを特徴とする液体噴射記録方法。」（特許請求の範囲）と記載されている。
　甲第７号証（特開昭６０−１６６４６１号公報）には、「（１）イエロー，マゼンダ，シアン及びブラック各色の信号に対する印写ヘッドと、ブラック用の印写ヘッドによるドット径を他の印写ヘッドによるものに比べて大きくする手段と、を具えるカラー印写装置。（２）ブラック用の印写ヘッドのオリフィス径が他の印写ヘッドよりも太い特許請求の範囲（１）記載のカラー印写装置。」（特許請求の範囲第１乃至２項）と記載されている。
　ｂ．本件発明と甲各号証との対比判断
　上記甲各号証に記載されたものと、本件発明を対比すると、上記甲各号証のいずれにも、本件発明を特定する事項である「インク吐出ユニットは、複数色のインクの粘性係数の不一致を補償するようにノズル形状を変え、共通の１枚のプレートに形成されているマルチノズルプレートである」点について記載も示唆もされていない。　そして、本件発明は、この点により、明細書に記載された「複数色のインク切断時間を均一にし、良好な画像を得ることができる」という顕著な作用効果を奏するものと認める。
　この点に関して、異議申立人は、甲第１号証に記載のものに、甲第２号証に記載のもの或いは甲第３号証に記載のものを適用することにより容易に構成し得る旨主張している。
　そこで、この点についても検討すると、甲第２号証に記載のものはインクの温度変化による粘性係数の変化に応じて、１個のノズル自体がその形状を変化するようになすこと、甲第３号証には、複数のノズルを持つノズルプレートの各ノズルインク流入部でのインク圧力波のエネルギーの大きさに応じてノズルの形状等を変えてインク柱切断距離、インク液滴間隔を均一にすること、また、甲第３号証には「一般に、流体の速度と圧力の関係は次式で表される。
Ｐ＝１／２ρ（１＋α）Ｖｊφ２＋１／ｄ２｛３２μ（ｌｓ十β１）十β２｝Ｖｊφ＋γ×ρｄ／μ×Ｖｊφ・・・・・・（１）
　ここで、Ｐは圧力、ρは密度、Ｖｊφは初速度、ｄはノズル径、μは粘性係数、ｌｓはノズルストレート部長さ、α，β１，β２，γは補正項である。」という記載があること、この（１）式には「粘性係数μ」が含まれていることが記載されているものの、甲第２乃至３号証からは、これらを甲第１号証に適用する課題自体導き出せず、仮に、これらに記載のものを甲第１号証に記載のものに適用しても、「インク吐出ユニットは、複数色のインクの粘性係数の不一致を補償するようにノズル形状を変え、共通の１枚のプレートに形成されているマルチノズルプレートである」点が直ちに当業者に容易に想到しうるものとすることができない。
　ゆえに、異議申立人のこの主張は採用できない。
　したがって、本件発明は、上記甲各号証をいかに組合わせても、当業者が容易に発明することができたものとすることができない。
　よって、異議申立人の上記主張Ａ乃至Ｂは、採用できない。
▲２▼主張Ｃ乃至Ｄについて
　上記訂正請求により、本件発明のカラーインクジェットヘッドは、荷電量制御型のマルチノズル力ラーインクジェットのヘッドであることが明確にされたので特許請求の範囲と発明の詳細な説明の各記載相互の対応関係が明りょうであり、また、明細書における「複数色のインクの粘性係数の不一致を補償するようにノズルの形状を変える」という構成は、荷電量制御型のマルチノズル力ラーインクジェットである以上、インク噴射作用はインクの振動部によるものであることが明らかであり、粘性係数の異なる複数色のインクをノズルの長さや径等を変えてそのインク滴生成の切断時間を調べて均一にすることは当業者が適宜実験等により容易になし得ることであるから、上記構成が当業者が容易に実施できる程度に明細書に記載されていないといえない。
　ゆえに、異議申立人の上記主張Ｃ乃至Ｄも採用することができない。
（３）むすび
　以上のとおりであるから、特許異議申し立ての理由及び証拠方法によっては、本件発明の特許を取り消すことができない。
　また、他に本件発明の特許を取り消すべき理由を発見しない。
　よって、結論のとおり決定する。
【異議決定日】
平成１１年８月３日（１９９９．８．３）
【訂正の要旨】
訂正の要旨
　訂正事項：請求項１を「複数色のインクを噴射するための複数個のインク液室と、それに対応して設けられたノズルとを、有する荷電量制御型カラーインクジェットヘッドであって、該カラーインクジェットヘッドは、インク噴射作用ユニットとインク吐出ユニットよりなり、該インク吐出ユニットは、複数色のインクの粘性係数の不一致を補償するようにノズル形状を変え、共通の１枚のプレートに形成されているマルチノズルプレートであることを特徴とするカラーインクジェットヘッド。」と訂正する。
（５４）【発明の名称】
カラーインクジェットヘッド
（５７）【特許請求の範囲】
　複数色のインクを噴射するための複数個のインク液室と、それに対応して設けられたノズルとを、有する
荷電量制御型
【発明の詳細な説明】
技術分野
　本発明は、荷電
量
従来技術
　一般に、複数色のインクを有するマルチノズル力ラーインクジェットヘッドにおいては、各インクの粘性係数に差があるため、各インク色のノズル群より噴出するジェット流の切断位相が異なり、良好な画像を得るためには、各インク色のインクへの荷電タイミングをインク毎に変えなければならない欠点があった。また、ノズル列の各端部に配設されるノズルと中心部に配設されるノズルのさに変化をつけたものが、特開昭５４−８８１２５号公報に開示されているが、これは、複数ノズル列から流出するインク流の空気力学的抗力の差によって生ずる速度変動を補償するためのもので、複数色インクの切断時間を均一にしようとするものではない。
目　　的
　本発明は、上述のごとき実情に鑑みてなされたもので、複数色のインク液室を有するマルチノズル力ラーインクジェットヘッドにおいて、複数色のインクジェットのインク滴生成の切断時間を均一にし、良好な印写画像を得ることを目的としてなされたものである。
構　　成
　本発明は、上記目的を達成するために、複数色のインクを噴射するための複数個のインク液室と、それに対応して設けられたノズルとを、有するカラーインクジェットヘッドであって、該カラーインクジェットヘッドは、インク噴射作用ユニットとインク吐出ユニットよりなり、該インク吐出ユニットは、複数色のインクの粘性係数の不一致を補償するようにノズル形状を変え、共通の１枚のプレートに形成されているマルチノズルプレートであることを特徴としたものである。以下、本発明の実施例に基いて説明する。
　第１図は、本発明によるカラーインクジェットヘッドの一実施例を説明するための斜視図、第２図は、第１図のＩＩ−ＩＩ線断面図、第３図（ａ）（ｂ）は、ノズルプレートの拡大断面図で、図中、１０は複数色、例えばイエロー，マゼンタ，シアン，ブラックの各インク用のノズル群１１ａ〜ｄが長手力向に配設されたノズルプレート，２０は前記ノズル群１１ａ〜ｄに対応するインク液室２１ａ〜ｄが設けられたノズル基板，３０はノズル列方向に延びた細長い開口３０′を有するマニホルドで、インク流入用弁３１ａ〜ｄに通じるインク流入路３２ａ〜ｄ、および、インク流出用弁３３ａ〜ｄに通じるインク流出路３４ａ〜ｄが形成されており、前記開口３０′内には、第２図に示すように、振動発生部４０がゴム材料５０により保持されている。４１はノズル列方向に均一な振動変位が得られるように、前記振動発生部４０の長手方向に形成された切欠き，６０は励振源である。
　第３図（ａ）は、前記ノズルプレート１０に、各インクの粘性係数の差をあらかじめ補償するように各インクノズル群１１ａ〜ｄ毎にノズル長さＬ１１ａ〜ｄを変えた場合の断面図、（ｂ）は、同じく各インクノズル群１１ａ〜ｄ毎にノズル径Ｄ１１ａ〜ｄを変えた場合の断面図で、このようなノズルプレートとしては、微小な径，長さの差を一体的に１枚のノズルプレート１０上に構成する点から、ガラス製の細管または、エッチング可能なコア部を有するオプティカルファイバー等が望ましい。
効　　果
　以上の説明から明らかなように、本発明によると複数色インクの粘性係数の差を補償するようにノズル形状、すなわち、ノズル長さおよびノズル径をあらかじめ変えておくようにしたので、複数色インクのインク切断時間を均一にし、良好な画像を得ることができる。
【図面の簡単な説明】
　第１図は、本発明によるカラーインクジェットヘッドの一実施例を説明するための斜視図、第２図は、第１図のＩＩ−ＩＩ線断面図、第３図（ａ）（ｂ）は、それぞれノズルプレートの拡大断面図である。１０…ノズルプレート，１１ａ〜ｄ…複数色のインク用ノズル群，２０…ノズル基板，２１ａ〜ｄ…インク液室，３０…マニホルド，３１ａ〜ｄ…インク流入用弁，３２ａ〜ｄ…インク流入路，３３ａ〜ｄ…インク流出用弁，３４ａ〜ｄ…インク流出路，４０…振動発生部，４１…切欠き，５０…ゴム材料，６０…励振源。